(57)【要約】【課題】  感光体ドラムの特定の部位にのみ気流があたり、感光体ドラム一周内で温度のムラが生じた場合でも、一周内の温度が均一になってから、評価、あるいは画像形成を開始するように構成された評価装置、あるいは画像形成装置の提供を目的とする。【解決手段】  円筒状感光体ドラム周囲に、少なくとも感光体を帯電する帯電手段と、感光体上に静電潜像を形成する露光手段と、前記静電潜像電位を計測する表面電位計計測手段と、感光体表面に露光して残留電荷を除去する除電手段と、帯電手段より発生するオゾンを排気するオゾン排気ファンと、感光体温度を計測する非接触放射温度計とが同一円周上に配置され、感光体ドラム内部にはドラム加熱用ヒータが設置された装置であって、ドラム回転後に非接触放射温度計の示す温度がドラム一周内で一定になった後に測定を開始するように構成されたことを特徴とする感光体評価装置。【選択図】  図１
2010256747.tif 000002
【特許請求の範囲】
【請求項１】
円筒状感光体ドラム周囲に、少なくとも感光体を帯電する帯電手段と、感光体上に静電潜像を形成する露光手段と、前記静電潜像電位を計測する表面電位計計測手段と、感光体表面に露光して残留電荷を除去する除電手段と、帯電手段より発生するオゾンを排気するオゾン排気ファンと、感光体温度を計測する非接触放射温度計とが同一円周上に配置され、感光体ドラム内部にはドラム加熱用ヒータが設置された装置であって、ドラム回転後に非接触放射温度計の示す温度がドラム一周内で一定になった後に測定を開始するように構成されたことを特徴とする感光体評価装置。
【請求項２】
円筒状感光体ドラム周囲に、少なくとも感光体を帯電する帯電手段と、感光体上に静電潜像を形成する露光手段と、前記静電潜像電位を計測する表面電位計計測手段と、感光体表面に露光して残留電荷を除去する除電手段と、帯電手段より発生するオゾンを排気するオゾン排気ファンと、感光体温度を計測する非接触放射温度計とが同一円周上に配置され、感光体ドラム内部にはドラム加熱用ヒータが設置された装置であって、オゾン排気ファンをドラム回転と同時あるいはドラム回転直後に回転するようにし、かつ非接触放射温度計の示す温度がドラム一周内で一定になった後に測定を開始するように構成されたことを特徴とする感光体評価装置。
【請求項３】
円筒状感光体ドラム周囲に、少なくとも感光体を帯電する帯電手段と、感光体上に静電潜像を形成する露光手段と、前記静電潜像電位を計測する表面電位計計測手段と、感光体表面に露光して残留電荷を除去する除電手段と、帯電手段より発生するオゾンを排気するオゾン排気ファンと、感光体温度を計測する非接触放射温度計とが同一円周上に配置され、感光体ドラム内部にはドラム加熱用ヒータが設置された装置であって、オゾン排気ファンをドラム回転と同時あるいはドラム回転直後に回転するようにし、予め定めた時間を経過後に測定を開始するように構成されたことを特徴とする感光体評価装置。
【請求項４】
円筒状感光体ドラム周囲に、少なくとも感光体を帯電する帯電手段と、感光体上に静電潜像を形成する露光手段と、前記静電潜像電位を計測する表面電位計計測手段と、感光体表面に露光して残留電荷を除去する除電手段と、帯電手段より発生するオゾンを排気するオゾン排気ファンと、感光体温度を計測する非接触放射温度計とが同一円周上に配置され、感光体ドラム内部にはドラム加熱用ヒータが設置された装置であって、オゾン排気ファンが動作中でかつヒータが加熱動作に入った場合、ドラムが連動して回転するように構成されたことを特徴とする感光体評価装置。
【請求項５】
円筒状感光体ドラム周囲に、少なくとも感光体を帯電する帯電手段と、感光体上に静電潜像を形成する露光手段と、前記静電潜像をトナー像とする現像手段と、前記トナー像を被転写体上に転写する転写手段と、前記トナー像を記録媒体上に熱定着する定着手段と、感光体表面に露光して残留電荷を除去する除電手段と、帯電手段より発生するオゾンを排気するオゾン排気ファンと、感光体温度を計測する非接触放射温度計とが同一円周上に配置され、感光体ドラム内部にはドラム加熱用ヒータが設置された装置であって、ドラム回転後に非接触放射温度計の示す温度がドラム一周内で一定になった後に画像形成を開始するように構成されたことを特徴とする画像形成装置。
【請求項６】
円筒状感光体ドラム周囲に、少なくとも感光体を帯電する帯電手段と、感光体上に静電潜像を形成する露光手段と、前記静電潜像をトナー像とする現像手段と、前記トナー像を被転写体上に転写する転写手段と、前記トナー像を記録媒体上に熱定着する定着手段と、感光体表面に露光して残留電荷を除去する除電手段と、帯電手段より発生するオゾンを排気するオゾン排気ファンと、感光体温度を計測する非接触放射温度計とが同一円周上に配置され、感光体ドラム内部にはドラム加熱用ヒータが設置された装置であって、オゾン排気ファンをドラム回転と同時あるいはドラム回転後に回転するようにし、かつ非接触放射温度計の示す温度がドラム一周内で一定になった後に画像形成を開始するように構成されたことを特徴とする画像形成装置。
【請求項７】
円筒状感光体ドラム周囲に、少なくとも感光体を帯電する帯電手段と、感光体上に静電潜像を形成する露光手段と、前記静電潜像をトナー像とする現像手段と、前記トナー像を被転写体上に転写する転写手段と、前記トナー像を記録媒体上に熱定着する定着手段と、感光体表面に露光して残留電荷を除去する除電手段と、帯電手段より発生するオゾンを排気するオゾン排気ファンと、感光体温度を計測する非接触放射温度計とが同一円周上に配置され、感光体ドラム内部にはドラム加熱用ヒータが設置された装置であって、オゾン排気ファンをドラム回転と同時あるいはドラム回転後に回転するようにし、予め定めた時間を経過後に画像形成を開始するように構成されたことを特徴とする画像形成装置。
【発明の詳細な説明】
【技術分野】
【０００１】
電子写真用感光体の特性評価装置に関する。
【背景技術】
【０００２】
感光体の静電特性として、帯電特性（暗中における電荷保持性能）、感度特性（光照射で速やかに帯電電荷を放出する性能）があり、これを評価することが必要である。評価には初期状態と、帯電、露光を繰り返し、疲労を与えてから行う場合があるが、いずれの場合もまず、帯電することから始まる。帯電手段は通常は細いタングステンワイヤに高電圧を印加して、コロナ放電で行うが、このときコロナ放電で発生する、オゾン、ＮＯｘ等が感光体表面を汚染し、特性評価に影響を与えることがある。
【０００３】
特に、同じ評価装置で疲労を与えた場合には オゾン、ＮＯｘが帯電器の周囲に滞留し、徐々に感光体を汚染してしまう。このことは既に公知のことで、対策として感光体周りの汚染物質を気流の流れに乗せ、装置の外に排出することが考案され、多数の工夫が提案され実施されている。感光体ドラムの回転時、あるいは停止時にも気流を流すことが多い。この気流を作り出すためにファンを使うことが専らの方法であるが、逆に、気流を作り出すのに、あえてファンを使用しないことを特徴とする装置の提案もある。更には、気流は生成せず、帯電器の開口部を遮蔽して、オゾン、ＮＯｘによる感光体汚染を防止する提案もある。しかし、これは帯電器自体の内部にオゾン、ＮＯｘによる汚染生成物を付着させ、汚染生成質が長い時間をかけて感光体に降りかかり、回復不可能な劣化を与えることにもなる。帯電器で発生したオゾン、ＮＯｘは速やかに取り除くのが有効である。
【０００４】
ファンを利用し、効率よくオゾン、ＮＯｘを排出するためには、帯電器と感光体のギャップ部分を狙い強い気流を流すことになる。このとき、感光体が停止していると、感光体上の気流のあたる部分は、あたらない部分に比べ、表面の温度が下がることになる。
【０００５】
すなわち感光体ドラム一周のなかで、温度のムラが生じることになる。この状態で、感光体ドラムを回転させ、即、帯電し感光体の特性の評価を開始すると、特性の温度依存性が強い場合は一周内で特性にムラが生じることになる。更に、続けて評価を繰り返すと、ムラのあった温度は一周内で均等に気流にあたるので、徐々に温度は均等になり、これも最初と複数回繰り返した後で特性が異なることになる。しかも、一周内での特性のムラが温度のちがいによるかどうかは、特性の評価結果だけからでは判断できない。このことは画像形成装置であっても、最初と複数回後で画質にちがいがでて、このましいことでないことはいうまでもない。
【０００６】
先行技術文献を調査したが、電子写真感光体についてこの課題をとりあげたものはみつからなかった。あえて取り上げると特許文献１の特開平４−３２４１４３号公報記載のものがあった。しかし、これは、加熱手段で光磁気記録媒体の上下の温度を制御するものであり、本発明とは手段が異なる。
【発明の概要】
【発明が解決しようとする課題】
【０００７】
本発明は、感光体ドラムの特定の部位にのみ気流があたり、感光体ドラム一周内で温度のムラが生じた場合でも、一周内の温度が均一になってから、評価、あるいは画像形成を開始するように構成された評価装置、あるいは画像形成装置の提供を目的とする。
【課題を解決するための手段】
【０００８】
本発明は、下記（１）〜（７）によって解決される。
（１）  円筒状感光体ドラム周囲に、少なくとも感光体を帯電する帯電手段と、感光体上に静電潜像を形成する露光手段と、前記静電潜像電位を計測する表面電位計計測手段と、感光体表面に露光して残留電荷を除去する除電手段と、帯電手段より発生するオゾンを排気するオゾン排気ファンと、感光体温度を計測する非接触放射温度計とが同一円周上に配置され、感光体ドラム内部にはドラム加熱用ヒータが設置された装置であって、ドラム回転後に非接触放射温度計の示す温度がドラム一周内で一定になった後に測定を開始するように構成されたことを特徴とする感光体評価装置。
（２）  円筒状感光体ドラム周囲に、少なくとも感光体を帯電する帯電手段と、感光体上に静電潜像を形成する露光手段と、前記静電潜像電位を計測する表面電位計計測手段と、感光体表面に露光して残留電荷を除去する除電手段と、帯電手段より発生するオゾンを排気するオゾン排気ファンと、感光体温度を計測する非接触放射温度計とが同一円周上に配置され、感光体ドラム内部にはドラム加熱用ヒータが設置された装置であって、オゾン排気ファンをドラム回転と同時あるいはドラム回転直後に回転するようにし、かつ非接触放射温度計の示す温度がドラム一周内で一定になった後に測定を開始するように構成されたことを特徴とする感光体評価装置。
（３）  円筒状感光体ドラム周囲に、少なくとも感光体を帯電する帯電手段と、感光体上に静電潜像を形成する露光手段と、前記静電潜像電位を計測する表面電位計計測手段と、感光体表面に露光して残留電荷を除去する除電手段と、帯電手段より発生するオゾンを排気するオゾン排気ファンと、感光体温度を計測する非接触放射温度計とが同一円周上に配置され、感光体ドラム内部にはドラム加熱用ヒータが設置された装置であって、オゾン排気ファンをドラム回転と同時あるいはドラム回転直後に回転するようにし、予め定めた時間を経過後に測定を開始するように構成されたことを特徴とする感光体評価装置。
（４）  円筒状感光体ドラム周囲に、少なくとも感光体を帯電する帯電手段と、感光体上に静電潜像を形成する露光手段と、前記静電潜像電位を計測する表面電位計計測手段と、感光体表面に露光して残留電荷を除去する除電手段と、帯電手段より発生するオゾンを排気するオゾン排気ファンと、感光体温度を計測する非接触放射温度計とが同一円周上に配置され、感光体ドラム内部にはドラム加熱用ヒータが設置された装置であって、オゾン排気ファンが動作中でかつヒータが加熱動作に入った場合、ドラムが連動して回転するように構成されたことを特徴とする感光体評価装置。
（５）  円筒状感光体ドラム周囲に、少なくとも感光体を帯電する帯電手段と、感光体上に静電潜像を形成する露光手段と、前記静電潜像をトナー像とする現像手段と、前記トナー像を被転写体上に転写する転写手段と、前記トナー像を記録媒体上に熱定着する定着手段と、感光体表面に露光して残留電荷を除去する除電手段と、帯電手段より発生するオゾンを排気するオゾン排気ファンと、感光体温度を計測する非接触放射温度計とが同一円周上に配置され、感光体ドラム内部にはドラム加熱用ヒータが設置された装置であって、ドラム回転後に非接触放射温度計の示す温度がドラム一周内で一定になった後に画像形成を開始するように構成されたことを特徴とする画像形成装置。
（６）  円筒状感光体ドラム周囲に、少なくとも感光体を帯電する帯電手段と、感光体上に静電潜像を形成する露光手段と、前記静電潜像をトナー像とする現像手段と、前記トナー像を被転写体上に転写する転写手段と、前記トナー像を記録媒体上に熱定着する定着手段と、感光体表面に露光して残留電荷を除去する除電手段と、帯電手段より発生するオゾンを排気するオゾン排気ファンと、感光体温度を計測する非接触放射温度計とが同一円周上に配置され、感光体ドラム内部にはドラム加熱用ヒータが設置された装置であって、オゾン排気ファンをドラム回転と同時あるいはドラム回転後に回転するようにし、かつ非接触放射温度計の示す温度がドラム一周内で一定になった後に画像形成を開始するように構成されたことを特徴とする画像形成装置。
（７）  円筒状感光体ドラム周囲に、少なくとも感光体を帯電する帯電手段と、感光体上に静電潜像を形成する露光手段と、前記静電潜像をトナー像とする現像手段と、前記トナー像を被転写体上に転写する転写手段と、前記トナー像を記録媒体上に熱定着する定着手段と、感光体表面に露光して残留電荷を除去する除電手段と、帯電手段より発生するオゾンを排気するオゾン排気ファンと、感光体温度を計測する非接触放射温度計とが同一円周上に配置され、感光体ドラム内部にはドラム加熱用ヒータが設置された装置であって、オゾン排気ファンをドラム回転と同時あるいはドラム回転後に回転するようにし、予め定めた時間を経過後に画像形成を開始するように構成されたことを特徴とする画像形成装置。
【発明の効果】
【０００９】
前記（１）項記載の感光体評価装置によれば、円筒状感光体ドラム周囲に、少なくとも感光体を帯電する帯電手段と、感光体上に静電潜像を形成する露光手段と、前記静電潜像電位を計測する表面電位計計測手段と、感光体表面に露光して残留電荷を除去する除電手段と、帯電手段より発生するオゾンを排気するオゾン排気ファンと、感光体温度を計測する非接触放射温度計とが同一円周上に配置され、感光体ドラム内部にはドラム加熱用ヒータが設置された装置であって、ドラム回転後に非接触放射温度計の示す温度がドラム一周内で一定になった後に測定を開始するように構成されたことで、確実に、測定データにドラム温度が周方向に不均一であることによる影響を排除した測定が可能となる。
また、前記（２）項記載の感光体評価装置によれば、円筒状感光体ドラム周囲に、少なくとも感光体を帯電する帯電手段と、感光体上に静電潜像を形成する露光手段と、前記静電潜像電位を計測する表面電位計計測手段と、感光体表面に露光して残留電荷を除去する除電手段と、帯電手段より発生するオゾンを排気するオゾン排気ファンと、感光体温度を計測する非接触放射温度計とが同一円周上に配置され、感光体ドラム内部にはドラム加熱用ヒータが設置された装置であって、オゾン排気ファンをドラム回転と同時あるいはドラム回転後に回転するようにし、かつ非接触放射温度計の示す温度がドラム一周内で一定になった後に測定を開始するように構成されたことで、より迅速、確実に、測定データにドラム温度が周方向に不均一であることによる影響を排除した測定が可能となる。
また、前記（３）項記載の感光体評価装置によれば、円筒状感光体ドラム周囲に、少なくとも感光体を帯電する帯電手段と、感光体上に静電潜像を形成する露光手段と、前記静電潜像電位を計測する表面電位計計測手段と、感光体表面に露光して残留電荷を除去する除電手段と、帯電手段より発生するオゾンを排気するオゾン排気ファンと、感光体温度を計測する非接触放射温度計とが同一円周上に配置され、感光体ドラム内部にはドラム加熱用ヒータが設置された装置であって、オゾン排気ファンをドラム回転と同時あるいはドラム回転後に回転するようにし、予め定めた時間を経過後に測定を開始するように構成されたことで、より迅速、確実に、測定データにドラム温度が周方向に不均一であることによる影響を排除した測定が可能となる。
また、前記（４）項記載の感光体評価装置によれば、円筒状感光体ドラム周囲に、少なくとも感光体を帯電する帯電手段と、感光体上に静電潜像を形成する露光手段と、前記静電潜像電位を計測する表面電位計計測手段と、感光体表面に露光して残留電荷を除去する除電手段と、帯電手段より発生するオゾンを排気するオゾン排気ファンと、感光体温度を計測する非接触放射温度計とが同一円周上に配置され、感光体ドラム内部にはドラム加熱用ヒータが設置された装置であって、オゾン排気ファンが動作中でかつヒータが加熱動作に入った場合、ドラムが連動して回転するように構成されたことで、ドラム温度設定中に周方向で温度が不均一になることを防止でき、目標温度設定後はただちに測定を開始できる。
また、前記（５）項記載の画像形成装置によれば、円筒状感光体ドラム周囲に、少なくとも感光体を帯電する帯電手段と、感光体上に静電潜像を形成する露光手段と、前記静電潜像をトナー像とする現像手段と、前記トナー像を被転写体上に転写する転写手段と、前記トナー像を記録媒体上に熱定着する定着手段と、感光体表面に露光して残留電荷を除去する除電手段と、帯電手段より発生するオゾンを排気するオゾン排気ファンと、感光体温度を計測する非接触放射温度計とが同一円周上に配置され、感光体ドラム内部にはドラム加熱用ヒータが設置された装置であって、ドラム回転後に非接触放射温度計の示す温度がドラム一周内で一定になった後に画像形成を開始するように構成されたことで、ドラム温度が周方向に不均一であることによる影響を排除した画像形成が可能となる。
また、前記（６）項記載の画像形成装置によれば、円筒状感光体ドラム周囲に、少なくとも感光体を帯電する帯電手段と、感光体上に静電潜像を形成する露光手段と、前記静電潜像をトナー像とする現像手段と、前記トナー像を被転写体上に転写する転写手段と、前記トナー像を記録媒体上に熱定着する定着手段と、感光体表面に露光して残留電荷を除去する除電手段と、帯電手段より発生するオゾンを排気するオゾン排気ファンと、感光体温度を計測する非接触放射温度計とが同一円周上に配置され、感光体ドラム内部にはドラム加熱用ヒータが設置された装置であって、オゾン排気ファンをドラム回転と同時あるいはドラム回転後に回転するようにし、かつ非接触放射温度計の示す温度がドラム一周内で一定になった後に画像形成を開始するように構成されたことで、ドラム温度が周方向に不均一であることによる影響を、迅速、確実に排除した画像形成が可能となる。
また、前記（７）項記載の画像形成装置によれば、円筒状感光体ドラム周囲に、少なくとも感光体を帯電する帯電手段と、感光体上に静電潜像を形成する露光手段と、前記静電潜像をトナー像とする現像手段と、前記トナー像を被転写体上に転写する転写手段と、前記トナー像を記録媒体上に熱定着する定着手段と、感光体表面に露光して残留電荷を除去する除電手段と、帯電手段より発生するオゾンを排気するオゾン排気ファンと、感光体温度を計測する非接触放射温度計とが同一円周上に配置され、感光体ドラム内部にはドラム加熱用ヒータが設置された装置であって、オゾン排気ファンをドラム回転と同時あるいはドラム回転後に回転するようにし、予め定めた時間を経過後に画像形成を開始するように構成されたことで、ドラム温度が周方向に不均一であることによる影響を、迅速、確実に排除した画像形成が可能となる。
【図面の簡単な説明】
【００１０】
【図１】本発明の装置構成の概略および、測定データ（表面電位データ）の説明である。
【図２】本発明の測定装置におけるタイミングチャートの例である。
【図３】感光体ドラムの表面温度と表面電位のデータ例である。
【発明を実施するための形態】
【００１１】
円筒状感光体ドラム周囲に、少なくとも感光体を帯電する帯電手段と、感光体上に静電潜像を形成する露光手段と、前記静電潜像電位を計測する表面電位計計測手段と、感光体表面に露光して残留電荷を除去する除電手段と、帯電手段より発生するオゾンを排気するオゾン排気ファンと、感光体温度を計測する非接触放射温度計とが同一円周上に配置され、感光体ドラム内部にはドラム加熱用ヒータが設置された装置について説明する。
【００１２】
本発明において、帯電手段はコロトロン方式、あるいはスコロトロン方式の帯電器、あるいは帯電ローラ（非接触型、接触型を問わない）のいずれでもよい。実施例では、スコロトロン方式の帯電器を使用している。
【００１３】
露光手段はレーザスキャン方式、ＬＥＤ方式等、いずれでもよい。実施例ではレーザスキャン方式を使用している。レーザデバイスの波長も感光体に合わせ選択すればよい。
【００１４】
表面電位計測手段としては、市販の表面電位計を使用する。実施例では、トレックジャパン株式会社製の表面電位計Ｍｏｄｅｌ３４４＋プローブＭｏｄｅｌ５５５Ｐ−４を使用している。ただし、これに限るわけではない。プローブ先端と感光体表面のギャップは概ね2mm にした。ギャップが大きくなると感光体表面における電位検出範囲（サイズ）が大きくなるので、むやみに離すことはできない。逆に近づけすぎると、検出範囲は狭まるが、感光体の出し入れ時に接触する危険性が高まるため、適正な範囲は1mm〜3mmである。また、この距離は上記電位計が自己校正型として測定精度を保証する範囲内にある。プローブの周方向配置位置であるが、画像形成装置では現像手段が配置される位置に一緒に置き、測定装置では、現像手段の位置と同じ位置であるが、種々の現像位置を想定し、可能なかぎり周方向で大きく動けるようにし、位置を決められるようにした装置が好ましい。これは測定装置としては一台で各種の条件に対応できることが求められるからである。実施例ではそのような測定装置を使用している。
【００１５】
また、上記表面電位計は露光後の潜像電位を測定しているが、帯電手段と露光手段の間に、表面電位計プローブを設置し、帯電後で、かつ露光前の電位を測定できるようにしてもよい。実施例の測定装置では露光前の測定用電位計が設置され、この電位計でも、周方向の温度のムラによる電位への影響を測定している。
【００１６】
除電手段は感光体上に残る電荷を除去するものであり、繰り返し測定を繰り返す場合には、１回前のサイクルの影響が次ぎのサイクルに影響するのを極力防ぐために必須である。画像形成装置では、装置小型化の要求によるレイアウト上の制約で搭載しないものもあるが測定装置では搭載が好ましい。搭載することで、除電手段の有無による感光体への影響も容易に確認できる。画像形成装置で通常使用されることの多いＬＥＤ光源でよい。波長は６６０ｎｍで、ＬＥＤ素子を軸方向に並べたものを使用し、光強度は感光体を所定の電位から１００Ｖまで減衰させるのに必要な光量の２倍から５倍の範囲の光強度に設定して使用される。
【００１７】
帯電手段からはオゾン、ＮＯｘ等の生成物、および、それらが大気中の成分（水分を含む）に作用して生成する汚染物質があり、これらが感光体の特性に影響することは既に公知のことである。特に、コロトロン帯電器、スコロトロン帯電器、帯電ローラ等を負極性で使用したときは、正極性で使用したときに比較し帯電器周辺のオゾン濃度は１０倍程度になると言われている。感光体、特にＯＰＣは負極性で使用されるものが多く、帯電器で発生しＯＰＣ周辺に滞留する汚染生成物の影響をうけやすい。このため汚染生成物を除去するために、排気ファンを設置して、気流に乗せて感光体周辺より除去することが一般的である。汚染生成物は帯電器と感光体表面の間隙（ギャップ）に多く滞留するので、ギャップに気流が流れるようにファンの設置を行う。滞留する汚染生成物を除去することが目的であるため、画像形成装置では感光体回転中（帯電器動作中）にファンを回転させるのはもちろんであるが、感光体停止中一定時間、あるいは感光体停止中においてもファンを回転させることが行われる。測定装置もこの回転動作タイミングに準ずることが好ましい。
【００１８】
しかしながら、このようにすると、感光体回転停止中に気流があたると、その部分だけ熱が奪われ、感光体は周方向で温度のムラをもつことになる。この状態で画像形成、あるいは測定装置での感光体特性測定を実施すると、温度ムラに起因する影響が反映した結果が得られることになる。この影響は感光体温度を上げている場合により顕著になる。これを防ぐために、ファンの回転、感光体回転、測定開始（または画像形成開始）のタイミングを調整する必要がある。このような場合の一例を図３に示す。温度のムラが存在したとき、これを一定にすべく、温度調整の制御が機能するので、「ムラ」と制御による「変動」が一時的に続くことが分かる。
【００１９】
測定装置に感光体昇温用のヒータを備えるのは、感光体特性の温度依存性を評価するためである。画像形成装置では、プリントの高速化、省資源の要請（環境問題）による両面プリントの機能が使われる。感光体上に形成された潜像が現像され、現像されたトナー像が紙へ転写され、次いでトナー像が定着されると、定着直後は紙が熱をもった状態になる。これが、即裏面プリントのプロセスに回ると、熱を持った紙は感光体と転写時に接触することになり、感光体に熱が移り、感光体の温度を上昇させる。このプロセスが短時間に大量に繰り返されると、感光体は定着器からの熱（気流による）と合わせ、温度を短時間で上昇させられる。短時間で５０℃を超えることもある。したがって、感光体特性の温度依存性を把握することは必要である。測定装置において感光体の温度を上げる方法としては、１．感光体の外側からドライヤーにより熱風をあてる、２．感光体の内側からテープヒータで温度を上げる、３．測定装置内部に温湿度調整したエアをダクトで導入する、等がある。１．は簡便であるが、ドライヤーによる熱風が感光体周囲の帯電器、露光器、表面電位計、等の温度を上昇させ、測定条件を変動させやすい。２．はテープヒータの巻き数、間隔等を適切に設計・製作しておけば、短時間で昇温し、また、ヒータデバイスを何度取り外し、取り付け測定しても条件が再現し、評価用途には適している。ただし、感光体ドラム径毎に内蔵タイプのヒータデバイスを用意する必要がある。３．は湿度までコントロールでき、測定装置としては便利であるが、装置全体を昇温、調湿することになり、一つの温度条件の測定を行う準備に数時間を要してしまう。また、装置を密閉する必要があり、装置内で発生したオゾン、ＮＯｘ等が装置内部にこもることになり、好ましくない。このような理由で、測定装置における感光体の昇温には２．の方式が適切である。
【００２０】
非接触放射温度計は感光体ドラムの温度を測定する。これは特に指定はないが、装置への組み込みを考慮して、小型のものを選択するのが好ましい。実施例ではキーエンス(株)製の放射温度センサヘッドＦＴ−Ｈ２０＋同 センサ アンプＦＴ−５５Ａ＋オムロン（株）製の温度調節器Ｅ５ＥＮの構成とした。
以下に、より具体的に説明する。
【００２１】
《各実施例で共通している機器》
・測定装置：社内製作のドラムタイプ感光体の特性測定装置
装置の概略（得られるデータの説明図を含む）を図１に示す。
図２に特性評価のためのタイミングチャートを示す（一例）。
既定の動作では、ＰＣ画面にて、測定開始ボタンをクリックすると、ドラム、露光器のポリゴンミラーが回転開始し、ポリゴンミラーが目標回転数に達する時間（本装置では5ｓに設定）を経過したとき、除電器がONし、これを起点として図２のタイミングで測定が始まる。
【００２２】
本測定システムを動かす条件にはいくつかのパラメータがあるが、ここでは帯電時間を規定するパラメータ「線速」と「用紙長」とについて説明する。
【００２３】
「線速」は感光体の線速であり、単位はｍｍ／ｓで指定する。「用紙長」は画像形成装置で使用する用紙サイズに関係し、用紙は縦送り、横送りがあり、この用紙送り方向のサイズ（ｍｍ）を「用紙長」として指定するようになっている。システムはこの値を感光体を回転させる線速で割り算し、帯電時間を算出して、この時間だけ、帯電、露光する。
【００２４】
実施例では、線速は断りがない限り、２００ｍｍ／ｓを指定し、「用紙長」はドラム円周（１８８ｍｍ）以上のサイズを指定し、感光体ドラム１周内の電位変動をみるようにした。
【００２５】
・感光体：ＯＰＣ（リコー製）、φ６０、ＣＧＭはフタロシアニン顔料。
・帯電器：スコロトロン帯電器（社内製作）、高圧−５．５ｋＶ、グリッド−８００Ｖ
・露光器：ＬＳＵ（レーザスキャンユニット）リコー光学（株）製、ＬＤ波長７８０ｎｍ、６５５ｎｍ（選択指定）。
特性測定時、ＬＤは連続点灯で使用（パルス点灯ではないということ）。
・表面電位計：Ｍｏｄｅｌ３４４＋Ｍｏｄｅｌ５５５Ｐ−４トレックジャパン（株）製
電位計プローブは帯電器と露光器の間に１つ、露光器と除電器の間に１つを配置。
・除電器：社内製作品、６６０ｎｍのＬＥＤを使用。
・非接触放射温度計：放射温度センサヘッドＦＴ−Ｈ２０キーエンス(株)製＋同センサアンプＦＴ−５５Ａキーエンス(株)製＋温度調節器Ｅ５ＥＮオムロン（株）製（テープヒータへの通電をＯＮ／ＯＦＦ制御）で構成。
帯電器と露光器の間に配置した電位計プローブの乗った台座の上に設置、ドラム径60mmに対して最適な温度検知距離になるように固定。
【００２６】
テープヒータ：クレイボンテープヒーター Ｆ−１６坂口電熱（株）Ｍａｘ１５０Ｗ感光体を内部より昇温させる。
対象の感光体の内径より小さい径の円筒にテープヒータを巻いている。
排気ファン：排気ファンは帯電器と表面電位計プローブの間に位置し、測定システムのメイン電源ＯＮと共に回転し、ＯＦＦで回転停止するように設計されている（既定の動作）。本発明に関わるファン回転開始、停止のタイミングは、システムを制御する機器（シーケンサー）プログラムを変更することで、対応可能。
【実施例】
【００２７】
次に、本発明を実施例によってさらに具体的に詳細に説明する。ただし、本発明は以下の実施例によって限定されるものではない。以下の各実施例は、いずれも、円筒状感光体ドラム周囲に、少なくとも感光体を帯電する帯電手段と、感光体上に静電潜像を形成する露光手段と、前記静電潜像電位を計測する表面電位計計測手段と、感光体表面に露光して残留電荷を除去する除電手段と、帯電手段より発生するオゾンを排気するオゾン排気ファンと、感光体温度を計測する非接触放射温度計とが同一円周上に配置され、感光体ドラム内部にはドラム加熱用ヒータが設置された装置を用いたものである。
【実施例１】
【００２８】
［感光体ドラム回転後、非接触温度計の示す温度が一定になった後、測定開始の例］
図１に示した測定装置にφ６０ｍｍ感光体ドラムをセットした。排気ファンは回転している。ドラム温度は、（１）ヒータをＯＦＦして室温における成り行きにした場合と、（２）４０℃の場合の２通りで行なった。４０℃の場合は、室温からヒータで昇温し、５分で４０℃になった。温度が安定したことを確認した後、測定開始ボタンをクリックした。感光体ドラムの回転が開始すると、非接触放射温度計でドラムの温度が測定され、ポリゴンミラーの回転が安定する時間を経過しても、一周内に温度のムラ△Ｔが１℃以上ある間は、測定が始まらないようにプログラムしている。
【００２９】
（結果）
ドラムが回転してから１周内の温度ムラ△Ｔが１℃以下になるのに１５〜２０ｓを要していた。（１）、（２）の場合とも、温度測定データにドラム一周内で低下した部分はなく、また、電位データにも一周内で低下した部分はなかった。
この構成では、データが出るまでに、ポリゴン回転安定時間＋待ち時間が発生するが、確実に、温度による１周内の電位ムラを解消したデータが得られることが分かる。
【実施例２】
【００３０】
［排気ファンをドラム回転と同時又はドラム回転直後に回転するようにし、かつ温度がドラム一周内で一定になった後に測定開始の例］
図１に示した測定装置にφ６０ｍｍ感光体ドラムをセットした。排気ファンは停止している。ドラム温度は、（１）４０℃の場合の１通りで行なった。室温からヒータで昇温し、５分で４０℃になった。温度が安定したことを確認した後、測定開始ボタンをクリックした。感光体ドラムの回転が開始すると同時に排気ファンも回転し、非接触放射温度計でドラムの温度が測定され、ポリゴンミラーの回転が安定する時間を経過しても、一周内に温度のムラ△Ｔが１℃以上ある間は測定が始まらないようにプログラムしている。
【００３１】
（結果）
ドラムが回転してから１周内の温度ムラ△Ｔが１℃以下になるのに１０ｓ程を要していた。電位データが出ている間、温度測定データにドラム一周内で低下した部分はなく、また、電位データにも一周内で低下した部分はなかった。
この構成で、ドラムの回転開始と同時に排気ファンが回るため、オゾン除去としては好ましくないが、ポリゴンミラー回転安定時間＋５ｓの待ち時間で、測定ができるこというメリットのあることがわかる。
【実施例３】
【００３２】
［排気ファンをドラム回転と同時あるいはドラム回転直後に回転、予め定めた時間を経過後に測定開始の例］
図１に示した測定装置にφ６０ｍｍ感光体ドラムをセットした。排気ファンは停止している。ドラム温度は、（１）室温と、（２）４０℃の場合の２通りで行なった。４０℃の場合、室温からヒータで昇温し、５分で４０℃になった。温度が安定したことを確認したのち、測定開始ボタンをクリックした。
感光体ドラムの回転が開始すると同時に排気ファンも回転し、回転開始してから、ポリゴンミラーの回転が安定する時間を含め、１５ｓ後に測定が始まるようにプログラムしている。
【００３３】
（結果）
ドラムが回転してから１５ｓ後に測定が開始され、電位データが出ている間、（１）では温度測定データにドラム一周内で低下した部分はなく、また電位データにも一周内で低下した部分はなかった。（２）では、温度測定データにドラム一周内で若干低下した部分があった。ただし、電位データには一周内で低下した部分はなかった。
この構成であれば、測定開始までの時間が一律であるが、問題なく測定できることが分かる。
【実施例４】
【００３４】
［排気ファン動作中、かつヒータが加熱動作に入った場合、ドラムが連動して回転する構成の例］
図１に示した測定装置にφ６０ｍｍ感光体ドラムをセットした。排気ファンは回転している。ドラム温度は、４０℃の場合の１通りで行なった。昇温中、（１）ドラムは回転しない場合と、（２）ヒータＯＮと同時にドラムを回転した場合の二通りを実施した。いずれも、５分程度で４０℃になった。温度が安定したことを確認した後、測定開始ボタンをクリックした。クリックしてから感光体ドラムの回転が開始する前者の場合と、ヒータＯＮとともに既に感光体ドラムが回転している後者（前記（４）項記載の本発明）の両方において、ポリゴンミラーの回転が安定する時間５ｓを待って測定が始まるようにプログラムしている（従来の開始タイミング条件に同じ）。
【００３５】
（結果）
（１）の場合は、電位データが出ている間、温度測定データにドラム一周内で低下した部分があり、また、電位データにも一周内で低下した部分が見られた。
（２）の場合は、温度測定データにドラム一周内で低下した部分はなく、また、電位データにも一周内で低下した部分はなかった。（２）の構成であれば、ドラム回転開始からポリゴンミラーの回転安定を待って、即、測定開始できることが分かる。
【００３６】
（比較例１）
［ヒータＯＮの後、短時間（５sec）経過で測定開始の例］
ヒータＯＮの場合も、非接触温度計の示す温度が一定になったことを監視することなく、測定開始ボタンクリックのほぼ直後（５sec経過後）にデータが出力されるようにプログラムした以外は、実施例１と同じ条件で測定した。
比較例１、実施例１〜４を一覧表にすると表１となる。
【００３７】
【表１】
2010256747.tif 000003
【実施例５】
【００３８】
［排気ファンをドラム回転と同時又はドラム回転後に回転、予め定めた時間を経過後に画像形成を開始する構成例］
画像形成装置として、ＲＩＣＯＨ Ｉｍａｇｉｏ Ｎｅｏ４２５、およびドラムチャック機構を改造し、前記測定装置で使用したヒータと同様のものを感光体ドラム内部におけるようにした。また、排気ファンを帯電ローラの近くに配置するように改造した。排気ファンはプリントボタンをＯＮしたときに動作するようにした。ドラム温度は４０℃の１通りで行なった。室温からヒータで昇温し、接触型温度計（熱電対）で温度を確認した（装置の側面カバーをはずしている）。温度が安定したことを確認したのち、プリントボタンをＯＮした。感光体ドラムの回転が開始すると同時に排気ファンも回転させ、回転開始してから、３ｓ後と１５ｓ後の２通りで画像出力させた。ポリゴンミラーは強制的に回転させいつでも任意のタイミングで画像出力できるように改造されている。
【００３９】
（結果）
ドラムが回転してから３ｓ後の画像出力は僅かに周方向で濃度ムラがみとめられた。１５ｓ後の画像には周方向の濃度ムラは認められなかった。
【００４０】
【表２】
2010256747.tif 000004
【符号の説明】
【００４１】
（図２）
１  除電器−帯電器間の時間
２  除電器−露光器（レーザ照射位置）までの時間
３  帯電および露光の時間（「用紙長」／線速）で決まる
４  繰り返しの時間
５  感光体が１回転する時間
【先行技術文献】
【特許文献】
【００４２】
【特許文献１】特開平４−３２４１４３号公報
【図１】
2010256747.tif 000005
【図２】
2010256747.tif 000006
【図３】
2010256747.tif 000007